(57)【要約】【課題】装飾や機能上から側面構造が多様化している自動販売機に対し、気密構造を全く損なうことなく柔軟に対応して取付け可能な補助錠取付装置を得る。【解決手段】略Ｌ字形の一方及び他方側ロッドよりなるレバーを有し該一方側ロッド端末部に補助錠本体部が装着されて扉表面に固着され該他方側ロッドの端末部を支持する自動販売機の補助錠取付装置であって、他方側ロッドを軸芯方向に所定範囲内に移動可能とするレバー嵌合孔が穿設された基台と、軸芯に対称位置の一対の呼込みボルトがレバー嵌合孔軸芯と後向き垂直方向に突設され基台に対し回動可能とされたターンテーブルと、呼込みボルトに対応する裏板とを備え、呼込みボルトを外側に裏板を内側に向合わせて自動販売機の本体側面に固着され、ターンテーブルの回動により他方側ロッドの変位にかかわらず各呼込みボルトを上下垂直位置に保持可能とした補助錠取付装置である。【選択図】　　　　図２
2004133875.tif 000002
【特許請求の範囲】
【請求項１】
略Ｌ字形の一方及び他方側ロッドよりなるレバーを有し該一方側ロッド端末部に補助錠本体部が装着されて扉表面に固着され該他方側ロッドの端末部を支持する自動販売機の補助錠取付装置であって、前記他方側ロッドを軸芯方向に所定範囲内に移動可能とするレバー嵌合孔が穿設された基台と、軸芯に対称位置の一対の呼込みボルトが前記レバー嵌合孔軸芯と後向き垂直方向に突設され前記基台に対し回動可能とされたターンテーブルと、前記呼込みボルトに対応する裏板とを備え、前記呼込みボルトを外側に前記裏板を内側に向合わせて前記自動販売機の本体側面に固着され、前記ターンテーブルの回動により前記他方側ロッドの変位にかかわらず前記各呼込みボルトを上下垂直位置に保持可能としたことを特徴とする補助錠取付装置。
【請求項２】
レバー嵌合孔が基台に左右方向のめくら孔として穿設され、他方側ロッドの端末よりフランジと小径段部を設け、前記基台の後面に前記レバー嵌合孔の軸芯に直交するスリットを穿設し、前記スリットに平坦な基板の前側に前記小径段部より僅かに大径の半円形切込みが穿設されている支持板を該切込みを該小径段部に渡るように挿着し、前記他方側ロッドの端末側を軸芯方向に前記小径段部の幅だけ移動可能としたことを特徴とする請求項１に記載の補助錠取付装置。
【請求項３】
ターンテーブルは略円形状の基板と該基板の後面より僅かに前寄りに湾曲した一対の小爪部が左右対称位置に突設され、基台後面に浅い後側円形溝が設けられ、前記後側円形溝の軸芯に対し対称位置に一対の細幅の爪部挿着溝が設けられ、前記後側円形溝の前側に前記爪部挿着溝と同径の前側円形溝で囲繞されたスライド面がおかれ、前記爪部挿着溝に後側より前記小爪部を押込み、前記小爪部の前記前側円形溝及びスライド面との摺動により前記ターンテーブルを回動可能としたことを特徴とする請求項１又は２に記載の補助錠取付装置。
【発明の詳細な説明】
【０００１】
【発明の属する技術分野】
本発明は、食品、飲料等の自動販売機に用いられる補助錠取付装置の改良に関する。
【０００２】
【従来の技術】
従来の補助錠として、剛性のある略Ｌ字形の一方及び他方側ロッドよりなるレバーを有し該一方側ロッド端末部に嵌着可能とされたロッド取付け孔をもったシャックルと、該シャックルの上下面に嵌着可能な嵌合溝と施開錠可能な錠を有する補助錠本体部と、他方側ロッドの端末側より嵌着可能な貫通孔が穿設されたブラケットとストッパーとを有する補助錠取付装置を備えたものがある（例えば特許文献１参照。）。
【０００３】
【特許文献１】
実用新案登録第３０５３２１３号公報（［０００６］、図１、図２の記載）
【０００４】
【発明が解決しようとする課題】
前記従来の補助錠取付装置により、扉と本体側を簡易な構造で２カ所支持により強固に固定可能でである利点を有しているものの、補助錠取付装置は断熱のため二重構造になってる自動販売機の本体側側面に貫通孔を穿設して取付けられるために、他方側ロッドの端末に取付けるブラケットはロッドが水平方向にある場合には前記貫通孔を上下垂直方向に設ければよいが、装飾や機能上から側面構造が多様化している自動販売機においてロッドを傾斜して取付ける場合［例えば特許文献１における図１（ｂ）に記載の場合］には前記貫通孔の位置が上下垂直方向から左右にずれ傾斜してて穿設されるため左右幅方向が広くなり、二重構造になっている自動販売機の冷気室に貫通孔がかかり気密構造が損なわれ冷気が漏れるという課題を有していた。
これに対し、本発明は装飾や機能上から側面構造が多様化している自動販売機に対し、気密構造を全く損なうことなく柔軟に対応して取付け可能な補助錠取付装置を得ることを目的とする。
【０００５】
【課題を解決するための手段】
この目的を達成するために、
請求項１の発明にあっては、略Ｌ字形の一方及び他方側ロッドよりなるレバーを有し該一方側ロッド端末部に補助錠本体部が装着されて扉表面に固着され該他方側ロッドの端末部を支持する自動販売機の補助錠取付装置であって、前記他方側ロッドを軸芯方向に所定範囲内に移動可能とするレバー嵌合孔が穿設された基台と、軸芯に対称位置の一対の呼込みボルトが前記レバー嵌合孔軸芯と後向き垂直方向に突設され前記基台に対し回動可能とされたターンテーブルと、前記呼込みボルトに対応する裏板とを備え、前記呼込みボルトを外側に前記裏板を内側に向合わせて前記自動販売機の本体側面に固着され、前記ターンテーブルの回動により前記他方側ロッドの変位にかかわらず前記各呼込みボルトを上下垂直位置に保持可能とした補助錠取付装置により解決した。
請求項２の発明にあっては、レバー嵌合孔が基台に左右方向のめくら孔として穿設され、他方側ロッドの端末よりフランジと小径段部を設け、前記基台の後面に前記レバー嵌合孔の軸芯に直交するスリットを穿設し、前記スリットに平坦な基板の前側に前記小径段部より僅かに大径の半円形切込みが穿設されている支持板を該切込みを該小径段部に渡るように挿着し、前記他方側ロッドの端末側を軸芯方向に前記小径段部の幅だけ移動可能とした請求項１に記載の補助錠取付装置とするのが好ましい。
請求項３の発明にあっては、ターンテーブルは略円形状の基板と該基板の後面より僅かに前寄りに湾曲した一対の小爪部が左右対称位置に突設され、基台後面に浅い後側円形溝が設けられ、前記後側円形溝の軸芯に対し対称位置に一対の細幅の爪部挿着溝が設けられ、前記後側円形溝の前側に前記爪部挿着溝と同径の前側円形溝で囲繞されたスライド面がおかれ、前記爪部挿着溝に後側より前記小爪部を押込み、前記小爪部の前記前側円形溝及びスライド面との摺動により前記ターンテーブルを回動可能とした請求項１又は２に記載の補助錠取付装置とするのが好ましい。
【０００６】
【発明の実施の形態】
本発明の実施の形態を図面に基づき以下詳細に説明する。
図１は、本発明の補助錠取付装置を含む補助錠を取付けた自動販売機の一例の（ａ）全体斜視図、（ｂ）（ａ）の補助錠取付装置の取付け位置の三態様を示す概略側面図である。
図２は、図１の補助錠の各構成要素を前側よりみた分解斜視図である。
図３は、図１の補助錠の各構成要素を後側よりみた分解斜視図である。
図４は、図１の補助錠取付装置の組立て中を後側よりみた概略斜視図である。図５は、図１の補助錠取付装置の組立て後を後側よりみた概略斜視図である。
図６は、図１の補助錠取付装置の基台及びターンテーブルの各図である。
以下においては、補助錠取付装置が装着される自動販売機等の扉正面側を前としその反対側を後とし、前からみて前後左右とし、各構成要素は使用状態において説明する。
図１（ａ）に示すのは、本発明の補助錠取付装置の一例を含む補助錠及び自動販売機であって、補助錠１は補助錠取付装置２、レバー３及び補助錠本体部４とを有している。そして、補助錠１が装着されている自動販売機Ａにおいて、補助錠取付装置２は自動販売機（以下においては「自販機」と略す）Ａの本体Ｂに取付けられ、補助錠本体部４は自販機の扉Ｃに取付けられ、レバー３は自販機Ａの本体Ｂと扉Ｃの間に跨がって取付けられている。
補助錠本体部４は、詳細説明は省略するが本例では特許文献１に記載されたものと同様で、図１（ｂ）、２、３に示す通り、ケース体４１と、ケース体４１に着脱される上下対向位置に連続する円弧状凹凸面で形成されるシャックル４２と、シリンダー錠４３とを組合わせ、シャックル４２側面にレバー嵌合孔４２ａが穿設されている構成であるが、これに限定されず他の公知の構成であてもよい。
レバー３は、鉄、アルミ等の強靭な金属材料製の一方側ロッド３４及び他方側ロッド３１で略Ｌ字形に形成され、他方側ロッド３１の端末にフランジ３２とその内側に小径段部３３を設け、一方側ロッド３４の端末部に図示しないが前記他方側ロッド３１の端末部と同様のフランジと小径段部とが設けられている。他方側ロッド３１のフランジ３２及び小径段部３３は後述する通り基台２１のレバー嵌合孔２１ｈに嵌合可能で、一方側ロッド３４の端末部のフランジ及び小径段部はシャックル４２側面のレバー嵌合孔４２ａに嵌合可能である。
【０００７】
補助錠取付装置２は、図２、３、６に示す通り、前側より基台２１、支持板２２、ターンテーブル２３、呼込みボルト２４、裏板２５及び固着具２６を有している。ここで、補助錠取付装置２の各構成要素は、レバー３の他方側ロッド３１の軸芯が図１（ｂ）において実線で示す水平方向にある状態（後述する中立位置）において説明する。
基台２１は、前面小径で後面大径の略円錐台形のベース部２１ａと、ベース部２１ａの前面小径側に軸芯を左右にして貫通するよう円柱状に形成されたレバー保持部２１ｂとからなり、レバー保持部２１ｂの軸芯には左側が開口し右側が僅かな肉厚を残して行止まるめくら孔としてレバー嵌合孔２１ｈが穿設されている。ベース部２１ａの後面大径側には深さの浅い後側円形溝２１ｃが設けられ、後側円形溝２１ｃの軸芯に対し対称位置で外周に向かって細幅で外周側が円弧状の一対の爪部挿着溝２１ｅが設けられ、後側円形溝２１ｃの前側に爪部挿着溝２１ｅの外周の円弧状と同じ直径の前側円形溝２１ｄと該前側円形溝２１ｄで囲繞されたスライド面２１ｆがおかれている。スライド面２１ｆには各爪部挿着溝２１ｅと中心線が同方向でレバー嵌合孔２１ｈの軸芯に直交し支持板２２が出入れ可能な貫通しないスリット２１ｇが穿設されている。
支持板２２は、表面平坦な略方形状の基板２２ａと、基板２２ａの前側に小径段部３３より僅かに大径の半円形の切込み２２ｃが穿設され、基板２２ａの後側に略コ字形の突起２２ｂが突設されている。突起２２ｂは支持板２２の出入れの便宜のためのもので必須のものではない。
ターンテーブル２３は、表面平坦な略円形状の基板２３ａと、基板２３ａの後面より僅かに前寄りに湾曲した一対の小爪部２３ｂが左右対称位置に突設され、基板２３ａの上下垂直対称位置に一対の呼込みボルト２４が挿通可能な通し孔２３ｃが穿設されている。
呼込みボルト２４は、一対で後側に雄ねじ２４ａ及び前端末に頭２４ｂを有し、前記した基板２３ａの通し孔２３ｃに挿通して頭２４ｂをかしめ、溶着等により雄ねじ２４ａを後側に突出状態でターンテーブル２３の上下垂直位置に固着される。
裏板２５は、方形状の板材で、上下に呼込みボルト２４が挿通可能な一対の通し孔２５ａが穿設されている。
固着具２６は、各一対の呼込みボルト２４の雄ねじ２４ａに螺合可能なナット２６ａと、ワッシャー２６ｂである。
【０００８】
補助錠取付装置２を含む補助錠１の組立てについて図１（ｂ）、４、５を参照して説明する。
レバー３の一方側ロッド３４の端末部のフランジ及び小径段部を補助錠本体部４のシャックル４２側面に穿設されているレバー嵌合孔４２ａに嵌合しノックピン、ねじ込み等により固着する。
レバー３の他方側ロッド３１の端末部のフランジ３２及び小径段部３３を基台２１のレバー嵌合孔２１ｈに嵌合し、基台２１の後側よりスリット２２ｇから小径段部３２が目視できる状態におく。支持板２２の突起２２ｂを指で掴んでスリット２１ｇに挿着し、半円形の切込み２２ｃを小径段部３３の後側部分に渡るようにおくと、レバー３はロッド３１の他方端末側軸芯方向に小径段部３２の幅だけ移動可能であって、支持板２２にフランジ３２部分が当接するとレバー嵌合孔２１ｈからは抜出し不能となる。このとき、突起２２ｂはスリット２１ｇから後側に僅かに突出している。
後側に突出状態の一対の呼込みボルト２４が固着されたターンテーブル２３の小爪部２３ｂを、基台２１後側の上下垂直位置にある爪部挿着溝２１ｅに押込み、前側円形溝２１ｄ及びスライド面２１ｆを摺動させながら両方の小爪部２３ｂを９０度回転させ水平方向位置におくと、一対の呼込みボルト２４は上下垂直方向におかれ補助錠取付装置２の前部の組立てが終わる。ここで、小爪部２３ｂの回転角度は前記水平方向位置から矢印Ｐ又はＳ方向に回動し左右に傾斜する位置おなるように調整可能であるが、９０度回転させると爪部挿着溝２１ｅから脱落する恐れがあるので実用範囲として左右合計で通常４０〜５０度に収まるように、ターンテーブル２３を基台２１後側に組付けた後に図示しないがノックピン等のストッパーを用いて回止めとするのが好ましい。
【０００９】
次に図１（ｂ）により、補助錠取付装置２の自販機Ａの本体Ｂ側面への取付け例の三態様及びその調整について説明する。
（イ）中立位置
図１（ｂ）に実線で示す他方側ロッド３１の補助錠取付装置２寄りの部分が水平方向にある中立位置について説明する。前記した補助錠取付装置２の前部の組立てが終わった所で、補助錠本体部４のケース体４１を自販機Ａの扉Ｃの開閉側隅部に固着する。自販機Ａの本体Ｂのケース体４１に隣接する位置に、本体Ｂ側面の裏側におかれる裏板２５の上下垂直方向位置の通し孔２５ａと対応する上下垂直方向に一対の貫通孔を穿設し、該貫通孔に上下方向にある一対の呼込みボルト２４を通し、呼込みボルト２４を裏面側の裏板２５の通し孔２５ａ及びワッシャー２６ｂに通し、ナット２６ａを雄ねじ２４ａに螺合させて補助錠取付装置２を扉Ｃに取付け、呼込みボルト２４が上下垂直方向におかれる。ここで、補助錠本体部４のケース体４１にシャックル４２を前側から押込むと、他方側ロッド３１は自販機Ａの本体Ｂと扉Ｃの間に跨がって水平方向におかれる。
（ロ）上方位置
図１（ｂ）に二点鎖線で示す他方側ロッド３１′の補助錠取付装置２′寄りの部分が中立位置から矢印Ｐ方向に回転し後側上がり勾配の傾斜方向にある上方位置について説明する。このときには、ターンテーブル２３を軸芯回りに矢印Ｑ方向（前側よりみて時計方向）に前側円形溝２１ｄ及びスライド面２１ｆを摺動させながら予め回転して、呼込みボルト２４′が上下垂直方向におかれるようにしておき、自販機Ａの本体Ｂ側面の裏側におかれる裏板２５の通し孔２５ａと対応する上下垂直方向位置に一対の貫通孔を穿設し、該貫通孔に呼込みボルト２４′を通し固着具２６により補助錠取付装置２′を扉Ｃに取付ける。ここで、ケース体４１にシャックル４２を前側から押込むと、他方側ロッド３１′は自販機Ａの本体Ｂと扉Ｃの間に前記上方位置に跨がってにおかれる。
（ハ）下方位置
図１（ｂ）に二点鎖線で示す他方側ロッド３１″の補助錠取付装置２″寄りの部分が中立位置から矢印Ｒ方向に回転し後側下がり勾配の傾斜方向にある下方位置について説明する。このときには、ターンテーブル２３を軸芯回りに矢印Ｓ方向（前側よりみて反時計方向）に前側円形溝２１ｄ及びスライド面２１ｆを摺動させながら予め回転して、呼込みボルト２４″が上下垂直方向におかれるようにしておき、自販機Ａの本体Ｂ側面の裏側に裏板２５の通し孔２５ａと対応する上下垂直方向位置に一対の貫通孔を穿設し、該貫通孔に呼込みボルト２４″を通し固着具２６により補助錠取付装置２４″を扉Ｃに取付ける。ここで、ケース体４１にシャックル４２を前側から押込むと、他方側ロッド３１″は自販機Ａの本体Ｂと扉Ｃの間に前記下方位置に跨がってにおかれる。
上記三態様に示す通り、レバーの他方側ロッド３１、３１′、３１″の変位如何にかかわらず各呼込みボルト２４、２４′、２４″が上下垂直位置に保持されるように調整可能であり、自販機の本体Ｂ側面に穿設される一対の貫通孔は常に上下垂直方向位置に保持され、ロッド３１′、３１″の如く傾斜して取付ける場合にあっても本体Ｂ側面に穿設される貫通孔の位置を上下垂直方向から左右にずらして穿設する必要がなく、前記従来の補助錠取付装置の如く自販機の冷気室に貫通孔がかかり気密構造が損なわれ冷気が漏れるおそれは全くない。
上記三態様の中間的な他方側ロッドの位置にあってもターンテーブル２３を軸芯回りに回動して無段階に対応可能である。
【００１０】
補助錠取付装置２においては、フランジ３２及び小径段部３３を設けた他方側ロッド３１の端末側を基台２１のレバー嵌合孔２１ｈに嵌合しているが、レバー嵌合孔２１ｈを行止まりのめくら孔とし、支持板２２をスリット２１ｇに挿着し、他方側ロッド３１の軸芯方向に小径段部３２の幅だけ移動可能であるが支持板２２にフランジ３２部分が当接してレバー嵌合孔２１ｈからは抜出し不能としている。
しかし図示しないが、小径段部３２を例えば前記特許文献１における図１、図２（ａ）（ｂ）に記載のようになくし、レバー保持部２１ｂのレバー嵌合孔を貫通孔とし他方側ロッドを貫通させ、該レバー嵌合孔から飛出している他方側ロッドの端末に円筒状のストッパーを固着し該レバー嵌合孔から抜出し不能としてもよい。このときには、支持板２２及びスリット２１ｇは不要である。しかし、この変形例では、ストッパーが外部に露出して外観上及び防犯上好ましくなく、又ロッドの交換が容易に行えない等の点より、前記した補助錠取付装置２の構成とするのが好ましい。
【００１１】
【発明の効果】
本発明の補助錠取付装置によれば、装飾や機能上から側面構造が多様化している飲料、食品等の自動販売機に対し、気密構造を全く損なうことなく柔軟に対応して取付け可能である。
【図面の簡単な説明】
【図１】本発明の補助錠取付装置を含む補助錠を取付けた自動販売機の一例の（ａ）全体斜視図、（ｂ）（ａ）の補助錠取付装置の取付け位置の三態様を示す概略側面図である。
【図２】図１の補助錠の各構成要素を前側よりみた分解斜視図である。
【図３】図１の補助錠の各構成要素を後側よりみた分解斜視図である。
【図４】図１の補助錠取付装置の組立て中を後側よりみた概略斜視図で、（ａ）前側部材、（ｂ）後側部材である。
【図５】図１の補助錠取付装置の組立て後を後側よりみた概略斜視図である。
【図６】図１の補助錠取付装置の基台の（ａ）平面図、（ｂ）背面図、（ｃ）Ｘ・Ｘ断面図、（ｄ）側面図である。又ターンテーブルの（ｅ）平面図、（ｆ）背面図、である。
【符号の説明】
１　補助錠
２、２′、２″　補助錠取付装置
２１　基台
２２　支持板
２３　ターンテーブル
２４、２４′、２４″　呼込みボルト
２５　裏板
２６　固着具
２１ａ　ベース部
２１ｂ　レバー保持部
２１ｅ　爪部挿着溝
２１ｇ　スリット
２１ｈ、４２ａ　レバー嵌合孔
２２ａ、２３ａ　基板
２２ｃ　切込み
２３ｂ　小爪部
３、３′、３″　レバー
３１、３１′、３１″　他方側ロッド
３２　フランジ
３３　小径段部
３４　一方側ロッド
４　補助錠本体部
４１　ケース体
４２　シャックル
４３　シリンダ錠
Ａ　自動販売機
Ｂ　本体
Ｃ　扉
【図１】
2004133875.tif 000003
【図２】
2004133875.tif 000004
【図３】
2004133875.tif 000005
【図４】
2004133875.tif 000006
【図５】
2004133875.tif 000007
【図６】
2004133875.tif 000008